(57)【要約】      （修正有）【課題】長柄の地上操作によって素手もぎ取り同様の安直性で果実首部のみを引き千切り、高所果実の無傷収穫を容易に為す果実収穫具を提供する。【解決手段】弾性硬線Ａの単線連続曲折加工によって、手元持ち柄側から発する素線が楕円環Ｂを経て狭隘部へと連続して一体形成され、全体が概ね平面構造からなる果実千切り環ロとなし、楕円環Ｂから狭隘部へ移行する狭隘絞り部分Ｃの形成曲線において、素線を所定の高さに隆起させつつ内側へ湾曲させて立体狭隘形状Ｇと為し、狭隘部平面を段階的に形成し、その先端を楕円環Ｂとの相対方向の正面奥先へ突出させ、更に果実千切り環ロの下部位置に楕円状の袋支持環ハを備え、果実に損傷を与えず連続的収穫を可能とした果実収穫具。【選択図】図１
2014217364.tif 000002
【特許請求の範囲】
【請求項１】
弾性硬線の曲折加工により、楕円環部分と狭隘部分とが連続して概ね平面的に形成され、楕円環（Ｂ）の手元側両端余寸を長柄先端部に収束固定し、地上操作によって楕円環（Ｂ）内に果実を捉えて狭隘部分で果実首部を引き千切る収穫用具であり、その楕円環（Ｂ）を経て狭隘部先端（Ｆ）に至る過程の狭隘絞り部分（Ｃ）において、左右の弾性硬線が山形に隆起しつつ内側へ立体湾曲をなし、三次元形状の狭隘入り口部を形成することを特徴とする果実収穫具。
【請求項２】
請求項１に記載する楕円環（Ｂ）と三次元形状の狭隘絞り部分（Ｃ）を経た狭隘部の平面構造において、左右対称の狭隘入り口部が段階状に狭隘部分を形成しつつ、その狭隘先端部（Ｆ）が手元側の相対方向に突出していることを特徴とする請求項１に記載の果実収穫具。
【請求項３】
請求項１に記載する長柄先端部への楕円環（Ｂ）固定支持において、楕円環（Ｂ）手元側の左右両素線を山形に隆起させつつ交差させた余寸両端を長柄先端部との穴結合としたことを特徴とする請求項１に記載の果実収穫具。
【発明の詳細な説明】
【技術分野】
【０００１】  果実の手動収穫用具に関する。
【背景技術】
【０００２】  果実樹種の中には固体ごとに熟し程度が異なる種類も多く、収穫時においては都度の選別確認が必要となることに加え、目標果実が高所条件下にある場合、手前の邪魔な枝葉を避けての無理な姿勢での収穫作業に起因した幹折れや脚立転倒による事故も多発している。
尚、これら高所条件下にある一般家庭用の果実収穫や枝切り具として、段階的に伸縮する長柄の先端に挟持機能と鋏を取り付けた枝先切断専用具が市販されているが、これらは対象とする目標物が目視良好の状況であることに加え、先端の機能操作を阻害する周囲障害物が少ないことが有効操作の条件となり、細枝が交錯する樹種や比較的小粒の果実においては、手前の障害物によって目標確認が困難になる恐れと共に、辛うじて果実捕獲を果たしたとしても手元に引き寄せる途中で損傷や落としたりする不具合発生が懸念される。【０００３】  よって、これら高所諸条件下の果実収穫においては、次の技術が公示されている。
【特許文献１】実願２００６−１５２２号  上記の文献１によると、長柄の先端部に備えた複数の球状弾性体で目標果実を挟持し、手元操作によって挟持機能部を捻転作動させて果実首部をねじ切り、下方に備えた袋に収納する内容となっているが、目標果実の首部支持強度に対し捻転力が勝ることに加え、熟した果実外皮が捻転操作時の挟持押圧に耐え得る硬度を有していることが前提となる。
【発明の開示】
【発明が解決しようとする課題】
【０００４】  そこで、地上からの長柄操作によって果実に損傷を与えず、素手もぎ取り同様の安直操作で果実首部のみを引き千切り、高所果実の無傷収穫を容易に為す果実収穫具を提供する。
【課題を解決するための手段】
【０００５】  所定の弾力硬線（Ａ）からなり、左右対称の単線連続曲折加工によって概ね楕円状の楕円環（Ｂ）に続く正面奥先の狭隘部分からなり、手元側に残る両端余寸を持ち柄（イ）の先端部へ収束固定し、楕円環（Ｂ）を経て狭隘先端（Ｆ）に至る狭隘部を段階状に形成され、全体が平面展開となる構造の果実千切り環（ロ）となし、楕円環（Ｂ）内に目標果実を捉え、手前に引き戻す操作によって果実首部を狭隘先端（Ｆ）部に誘導し、更なる引き寄せ操作でのもぎり収穫が可能な仕様とする。図１参照【０００６】  尚、左右対称に平面展開される楕円環（Ｂ）から狭隘絞り部分（Ｃ）への形状移行に伴う造形曲線において、所定の高さに隆起させつつ内側へ湾曲させて狭隘部を形成することによって、狭隘絞り部分（Ｃ）での果実肩部の捕捉が容易になると共に果実首部を狭隘先端部（Ｆ）へ誘導する操作補佐の効果が発揮され、目標物が確認不十分な状況下にあっても果実首部が狭隘先端部（Ｆ）へ確実に誘導され、引き千切り収穫操作時の助勢機能を発揮することになる。図２参照【０００７】  また、手元側との相対方向に突出させた楕円環（Ｂ）正面奥の狭隘部において、その平面構造が段階的な狭隘形状となることにより、捉えた果実首部の横滑り防止と共に狭隘先端部（Ｆ）への遊動保持率を高め、引き千切り収穫操作時の安定性が担保される。図２（１）参照【０００８】  上述の果実千切り環（ロ）によって収穫される果実の収納袋として、果実千切り環（ロ）の下部位置に弾力硬線からなる袋支持環（ハ）に支持された果実受け袋（ニ）を備えることによって、収穫果実に損傷を与えずに連続作業が可能となる。図１参照【０００９】  また、楕円環（Ｂ）の手元側左右余寸を共に隆起させて山形と為して交差曲折させ、その両端を持ち柄（イ）先端部への曲折穴整合による収束固定とすることにより、果樹によっては果実首部を枝元方向への突き出し操作を強いられる場合において、突き出し操作時に楕円環（Ｂ）の手元側交差部で果実首部の捕捉が可能となり、また、楕円環（Ｂ）と袋支持環（ハ）双方が持ち柄（イ）先端への穴整合による収束支持となり、その上から金属バンドによるネジ締めと為すことによってメンテナンス時に分解自在の利便性が付加される。図２（２）参照【００１０】  尚、収穫対象が大型果実の場合は果実首部の支持力が強靭となるため、狭隘部を構成する狭隘入口部（Ｅ）の左右両腕部それぞれに鋸歯状の切削刃を内向きに備えさせ、相対する双方の峡間を残しつつ弾性可動と為し、上述の操作手順による収穫時に果実首部の繊維組織に損傷を与えつつも一部通過を許容する狭隘構造とすることにより、狭隘部に伴い鋸歯状切削刃で受ける抵抗とその通過解除の際、手元方向への引き寄せ操作と枝の撓みによる抵抗反動とが重複することにより、既に損傷を受けている果実首部への専断力補助効果が発揮される。
【発明の効果】
【００１１】  本発明によれば、任意選択した高所条件の果実を地上操作によって傷を付けることなく容易に収穫作業を行うことが出来、且つ、全体が弾性体として形状復元性を有し、また、略平面状の展開構造によって細枝交差条件下の果実収穫操作における安直操作性に加えて機能安定性を発揮する。
【発明を実施するための最良の形態】
【００１２】  本発明の果実千切り環（ロ）及び袋支持環（ハ）の素線末端部を直角曲折となし、持ち柄（イ）先端部への穴整合とすると共に金属バンドによるネジ締めによる収束固定方法とし、持ち柄（イ）先端と機能部分とを脱着可能とすることに加え、持ち柄（イ）自体を段階伸縮自在のスライド式とし、また、果実受け袋（ニ）の最下部に所定の長さの補助紐（ホ）を備えることで収穫果実の逆さ取り出しが容易となる。
【図面の簡単な説明】
【００１３】
【図１】果実収穫具全体イメージ図
【図２】果実千切り環の機能構造図
【符号の説明】
【００１４】（１）構造平面
（２）構造側面
Ａ  硬線
Ｂ  楕円環
Ｃ  狭隘絞り部分
Ｅ  狭隘入口部
Ｆ  狭隘先端部
Ｇ  立体狭隘形状
イ  持ち柄
ロ  果実千切り環
ハ  袋支持環
ニ  果実受け袋
ホ  補助紐
【図１】
2014217364.tif 000003
【図２】
2014217364.tif 000004